(57)【要約】【課題】取扱いを容易にすることができるポンプ付き容器を提供すること。【解決手段】前記課題を解決するための手段は、一端が開口してなる開口部２Ａを有する容器本体２と、前記容器本体２に対して、前記開口部２Ａ側に上下動可能に配置されるポンプ装置３と、前記ポンプ装置３の周囲を覆い、筒状に形成されてなる外蓋４と、前記ポンプ装置３が下降時に、外蓋４とポンプ装置３とを係合する係合手段５とを備え、前記係合手段５は、外蓋内周面に形成された案内凹部４１と、案内凹部４１の底面部に形成された係合凹部４２と、ポンプ装置３外周面に形成され、前記案内凹部４１に挿入配置される案内凸部３１Ｅと、前記案内凸部３１Ｅの突出面に形成され、前記係合凹部４２と係合する係合凸部３１Ｆとを備えてなることを特徴とするポンプ付き容器１である。【選択図】          図１
2006056565.tif 000002
【特許請求の範囲】
【請求項１】
一端が開口してなる開口部を有する容器本体と、前記容器本体に対して、前記開口部側に上下動可能に配置されるポンプ装置と、前記ポンプ装置の周囲を覆い、筒状に形成されてなる外蓋と、前記ポンプ装置が下降時に、外蓋とポンプ装置とを係合する係合手段とを
備え、
前記係合手段は、外蓋内周面に形成された案内凹部と、案内凹部の底面部に形成された係合凹部と、ポンプ装置外周面に形成され、前記案内凹部に挿入配置される案内凸部と、前記案内凸部の突出面に形成され、前記係合凹部と係合する係合凸部とを備えてなる
ことを特徴とするポンプ付き容器。
【発明の詳細な説明】
【技術分野】
【０００１】
本発明は、ポンプ付き容器に関し、特に詳しくは、取扱いを容易にすることができるポンプ付き容器に関する。
【背景技術】
【０００２】
従来から、洗剤、化粧水等を入れる液体容器として、ガラス製又は樹脂製の容器本体に対し、その口部に、ポンプ装置が取り付けられたものがある。このポンプ装置は、バネで押し上げ状態に保持された昇降ヘッドを押し下げ操作することにより、内容物の取り出しが行えるようになっている。
【０００３】
ところで、この種の液体容器では、誤って昇降ヘッドを押し下げ操作したり、液体容器を落下させた時などに昇降ヘッドが押し込まれたりした場合に、内容物が吐出され、無駄になることがあった。特に、液体容器を落下させた場合には、ポンプ装置の故障に至ることもあった。そこで、これらの問題を解消するために、容器本体の口部まわりに、ポンプ装置全体をカバーする外蓋を外嵌螺合できるようにしたものがある。勿論、この外蓋は、内容物を取り出す際には予め容器本体から螺脱しておくものである。
【０００４】
従来、外蓋を付属させた液体容器では、言うまでもなく、その使用に際していちいち外蓋を螺脱し、また使用後には螺合する必要がある。そのため面倒であった。しかも、螺脱した外蓋を落下させて破損、又は紛失等させるおそれがあった。
【０００５】
以上のような問題を解決するための、ポンプ付きの液体容器として、例えば、「容器本体（５）の口部（５ａ）に設けられる栓基部（２）と、該栓基部（２）に対して上下動自在に保持されるポンプ装置（３）と、上記栓基部（２）に対して回動自在に外嵌される操作筒体（４）とを有して成り、前記ポンプ装置（３）には、栓基部（２）に対する上昇時にだけ前記操作筒体（４）から露出する位置に吐出口（３ａ）が設けられ、前記ポンプ装置（３）と栓基部（２）と操作筒体（４）との間では、操作筒体（４）の回動操作に伴ってポンプ装置（３）を上下動させる連動手段（１０）が構成されていることを特徴とする液体容器のポンプ付き口栓装置。」が提案されている（特許文献１参照）。
【０００６】
【特許文献１】特開平８−２４４８２４号（請求項１、図１）
【０００７】
しかしながら、この特許文献１記載のポンプ付き口栓装置においては、「上下動させる連動手段（１０）」がカム機構によるため、吐出口（３ａ）が完全に、上方に突出するためには、大きな角度による回動操作を行わなければならず、未だ取り扱いが容易ではないという問題点がある。
【発明の開示】
【発明が解決しようとする課題】
【０００８】
本発明は、このような従来の問題点を解消し、取扱いを容易にすることができるポンプ付き容器を提供することをその課題とする。
【課題を解決するための手段】
【０００９】
前記課題を解決するための手段として、
請求項１は、一端が開口してなる開口部を有する容器本体と、前記容器本体に対して、前記開口部側に上下動可能に配置されるポンプ装置と、前記ポンプ装置の周囲を覆い、筒状に形成されてなる外蓋と、前記ポンプ装置が下降時に、外蓋とポンプ装置とを係合する係合手段とを
備え、
前記係合手段は、外蓋内周面に形成された案内凹部と、案内凹部の底面部に形成された係合凹部と、ポンプ装置外周面に形成され、前記案内凹部に挿入配置される案内凸部と、前記案内凸部の突出面に形成され、前記係合凹部と係合する係合凸部とを備えてなる
ことを特徴とするポンプ付き容器である。
【発明の効果】
【００１０】
本発明によれば、前記ポンプ装置が下降時に、係合手段によって、外蓋とポンプ装置とを係合される。具体的には、前記ポンプ装置が下降時に、案内凹部に案内凸部に沿って移動する。そして、前記ポンプ装置が下降の終点に到ると、係合凹部と係合凸部とが係合する。したがって、外蓋における大きな角度による回動操作を必要としないので、取扱いを容易にすることができる。
【発明を実施するための最良の形態】
【００１１】
以下、本発明の実施の形態を図面に基づいて説明する。本実施形態に係るポンプ付き容器１は、液体を吐出する容器である。
【００１２】
ここで、図１は、本発明に係るポンプ付き容器の全体断面図である。また、図２は、本発明に係るポンプ付き容器（ポンプ装置下降時）の全体の概略図である。さらに、図３は、本発明に係るポンプ付き容器（ポンプ装置上昇時）の全体の概略図である。そして、図４は、本発明に係るポンプ付き容器（ポンプ装置上昇時）の全体の概略図である。
【００１３】
ポンプ付き容器１は、容器本体２と、ポンプ装置３と、外蓋４と、係合手段５とを備えてなる。
【００１４】
容器本体２は、一端が開口してなる開口部２Ａを有する。開口部２Ａ外周表面には、螺合可能な溝２Ｂが形成されている。また、開口部２Ａ内表面には、円筒形状を有するシリンダ２１が同軸に固定されている。なお、容器本体２には、用途に応じて、各種液体が収納される。
【００１５】
シリンダ２１は、円筒形状を有する円筒部２１Ａと、円筒部２１Ａの外周面中央部から突出して形成される鍔部２１Ｂとを有してなる。鍔部２１Ｂは、開口部２Ａと接触固定する。
【００１６】
また、開口部２Ａ外周表面には、前記溝２Ｂと螺合して固定される開口フランジ２２が設けられている。開口フランジ２２は、中心軸部２２Ａと、水平部２２Ｂと、突出部２２Ｃと、側壁部２２Ｄとを有してなる。
【００１７】
中心軸部２２Ａは、円筒部２１Ａ先端に対して、内周側および外周側を挟みこんで固定されてなる。
【００１８】
水平部２２Ｂは、中心軸部２２Ａから径方向に形成され、鍔部２１Ｂと接触する。
【００１９】
突出部２２Ｃは、水平部２２Ｂの一端側に軸方向上方に形成されてなる。
【００２０】
側壁部２２Ｄは、水平部２２Ｂの一端側に軸方向下方に形成されてなる。側壁部２２Ｄ内周面には、溝２Ｂと螺合可能な溝２２Ｅが形成されている。また、側壁部２２Ｄ外周面には、外蓋４を固定する固定凸部２２Ｆが形成されている。固定凸部２２Ｆは、断面視略、上方向に斜面を有する台形状を有する。
【００２１】
ポンプ装置３は、前記容器本体２に対して、前記開口部２Ａ側に上下動可能に配置されている。ポンプ装置３は、ポンプ用ボタン３１と、ピストン３２とを備えてなる。
【００２２】
ポンプ用ボタン３１は、略円筒形状を有するボタン本体部３１Ａと、ボタン本体部３１Ａの側壁面に開口して形成されてなる吐出口３１Ｂと、ボタン本体部３１Ａの下面部外周縁から下方に突出して形成されてなる垂下部３１Ｃとを有してなる。
【００２３】
ボタン本体部３１Ａには、中心軸線上に下方に開口する凹部３１Ｄが形成されてなる。
【００２４】
吐出口３１Ｂは、凹部３１Ｄと連続して液体を吐出する通路を形成している。垂下部３１Ｃは、断面視略円筒形状を有する。垂下部３１Ｃの外周面端縁部には、外周方向に突出した案内凸部３１Ｅが形成されている。案内凸部３１Ｅは、断面視略、下方向に斜面を有する台形状に形成されている。
【００２５】
案内凸部３１Ｅの突出面には、さらに係合凸部３１Ｆが形成されている。係合凸部３１Ｆは、断面視略、下方向に斜面を有する台形状に形成されている。
【００２６】
ピストン３２は、中空である円筒形状を有する。ピストン３２の一端は、凹部３１Ｄに、挿入固定されている。また、ピストン３２の他端は、下方に従って拡径する漏斗状に形成されている。ピストン３２の他端は、中心軸部２２Ａに挿入されている。なお、ポンプ付き容器１の組立時には、先に、ピストン３２の一端側から中心軸部２２Ａに挿入して、その後、ピストン３２の一端と凹部３１Ｄとを接続固定する。さらに、ピストン３２の他端には、図示を略すが、ピストン３２を上下動可能にするバネ等の付勢部材が設けられている。また、さらに、ピストン３２の他端には、図示は略すが、液体を吸い上げるためのパイプ等が設けられている。
【００２７】
外蓋４は、前記ポンプ装置３の周囲を覆い、筒状に形成されてなる。具体的には、外蓋４は、案内凹部４１と、係合凹部４２と、切り欠き部４３とを有してなる。
【００２８】
案内凹部４１は、外蓋４内周面の一部に断面視略、矩形状に形成されている。案内凹部４１には、案内凸部３１Ｅが挿入配置される。また、係合凹部４２は、案内凹部４１の底面部の下方側に形成されている（図１〜図３参照）。係合凹部４２は、前記ポンプ装置３が下降時に、係合凸部３１Ｆと係合する。
【００２９】
切り欠き部４３は、詳しくは、図４に示されるように、外蓋４の上方側端縁から略半円形状に形成されてなる。なお、切り欠き部４３は、外蓋４において、吐出口３１Ｂと対応する位置に形成されている。また、外蓋４の内周面かつ切り欠き部４３に隣接する部分には、封止シート４４が貼られている。封止シート４４は、略矩形状に形成されている。封止シート４４は、ポンプ装置３下降時において、吐出口３１Ｂに対応する位置にある。そして、封止シート４４によって、吐出口３１Ｂが塞がれ、容器本体２内部にゴミ等が混入したりすることを防止することができる。また、封止シート４４によって、吐出口３１Ｂが塞がれるので、容器本体２内部に収納されている液体がガス化して抜けていくことを防止することができる。
【００３０】
係合手段５は、前記ポンプ装置３が下降時に、外蓋４とポンプ装置３とを係合する。この係合手段５は、前記した案内凹部４１と、係合凹部４２と、案内凸部３１Ｅと、係合凸部３１Ｆとを備えてなる。
【００３１】
[ポンプ付き容器の動作]
図１〜図４を参照して、図２のようなポンプ装置３の下降状態（ポンプ付き容器１の未使用時）から、図３のようなポンプ装置３の上昇状態（ポンプ付き容器１の使用時）にいたるまでのポンプ付き容器１の使用手順およびポンプ付き容器１の動作を説明する。
【００３２】
[ポンプ装置３の下降状態から上昇状態時への動作（１）]
まず、図２中の矢印に示されるように、外蓋４を反時計方向に回転させる。すると、係合凸部３１Ｆと係合凹部４２との係合が解除される。そして、図示しない付勢部材によって、ピストン３２が上方へ移動する。ピストン３２が上方に移動することにより、ポンプ用ボタン３１自体も上昇する。この際、案内凸部３１Ｅは、案内凹部４１に沿って上方へ移動する（図２、図３参照）。そして、案内凸部３１Ｅおよび係合凸部３１Ｆは、案内凹部４１の上方の端まで上昇する。
【００３３】
[ポンプ装置３の上昇状態から下降状態時への動作（２）]
次に、ポンプ用ボタン３１を押し込む。すると、ピストン３２が下方へ移動する。ピストン３２によって、図示しない付勢部材が圧縮される。この際、この際、案内凸部３１Ｅは、案内凹部４１に沿って下方へ移動する（図２、３参照）。案内凸部３１Ｅが、係合凹部４２と同じ高さまで下降したら、図２中の矢印に示されるように、外蓋４を時計方向に回転させる。すると、係合凸部３１Ｆと係合凹部４２とが係合する。したがって、外蓋４における大きな角度による回動操作を必要としないので、取扱いを容易にすることができる。
【００３４】
この際、ピストン３２が下方へ移動することにより、容器本体２内の容積は圧縮される。容器本体２内の容積が圧縮されることにより、容器本体２内の圧力は、大気圧より高まる。ここで、再度、ポンプ装置３の下降状態から上昇状態になると、容器本体２内の液体が図示しないパイプを介して、ポンプ装置３のいわゆるポンプ作用により、吸い上げられる。吸い上げられた液体は、ピストン３２、吐出口３１Ｂ、および切り欠き部４３を通って、ポンプ付き容器１外へ吐出される。
【００３５】
なお、本発明は、前記実施形態に限定されるものではなく、本発明の目的を達成できる範囲での変形、改良は、本発明に含まれるものである。なお、本実施形態に係るポンプ付き容器１は、液体を吐出する容器として本発明の一例として説明しているが、これに限定されず、泡を吐出する泡出し容器であってもよく、霧を噴き出す、霧吹き容器であってもよい。
【図面の簡単な説明】
【００３６】
【図１】図１は、本発明に係るポンプ付き容器の全体断面図である。
【図２】図２は、本発明に係るポンプ付き容器（ポンプ装置下降時）の全体の概略図である。
【図３】図３は、本発明に係るポンプ付き容器（ポンプ装置上昇時）の全体の概略図である。
【図４】図４は、本発明に係るポンプ付き容器（ポンプ装置上昇時）の全体の概略図である。
【符号の説明】
【００３７】
１    ポンプ付き容器
２    容器本体
２Ａ    開口部
２Ｂ    溝
３    ポンプ装置
４    外蓋
５    係合手段
２１    シリンダ
２１Ａ    円筒部
２１Ｂ    鍔部
２２    フランジ
２２Ａ    中心軸部
２２Ｂ    水平部
２２Ｃ    突出部
２２Ｄ    側壁部
２２Ｅ    溝
２２Ｆ    固定凸部
３１    ポンプ用ボタン
３１Ａ    ボタン本体部
３１Ｂ    吐出口
３１Ｃ    垂下部
３１Ｄ    凹部
３１Ｅ    案内凸部
３１Ｆ    係合凸部
３２    ピストン
４１    案内凹部
４２    係合凹部
４３    切り欠き部
４４    封止シート
【図１】
2006056565.tif 000003
【図２】
2006056565.tif 000004
【図３】
2006056565.tif 000005
【図４】
2006056565.tif 000006